(57)【要約】【課題】支持台同士を連結する連結帯を、工具を用いなくても人の手で容易に分断できるようにして、支持台同士の間隔を容易に調整することができるようにした支持台連結ユニットを提供する。【解決手段】フリーアクセスフロア２に用いられるパネル部材８を支持する複数の支持台１２と、当該支持台１２の下端部２０間を連結して支持台１２間の間隔を保持する連結帯４２とを備えた支持台連結ユニット４０であって、連結帯４２は、当該連結帯４２をこの長さ方向における所定の位置で分断するための分断用切込み部を有する。【効果】支持台同士を連結する連結帯を、工具を用いなくても人の手で容易に分断できるので、支持台同士の間隔を容易に調整することができる。【選択図】図１
2009035965.tif 000002
【特許請求の範囲】
【請求項１】
フリーアクセスフロアに用いられるパネル部材を支持する複数の支持台と、当該支持台の下端部間を連結して支持台間の間隔を保持する連結帯とを備えた支持台連結ユニットであって、
前記連結帯は、当該連結帯をこの長さ方向における所定の位置で分断するための分断用切込み部を有することを特徴とする支持台連結ユニット。
【請求項２】
１本の前記連結帯の長さ方向における複数の位置に前記分断用切込み部を有することを特徴とする請求項１に記載の支持台連結ユニット。
【発明の詳細な説明】
【技術分野】
【０００１】
本発明は、フリーアクセスフロアに用いられるパネル部材を支持する複数の支持台を連結した支持台連結ユニットに関するものである。
【背景技術】
【０００２】
図７は、部屋の壁寄りの床部に敷設された従来のフリーアクセスフロア２を示す平面図である。この従来のフリーアクセスフロア２の敷設作業の途中段階においては、図８に示すように、後述するような支持台連結ユニット４の上に、フリーアクセスフロア２の床板となる４枚のパネル部材８を載置して組み合わせたパネルユニット３１を、互いに所定の間隔を空けて下地床面６上に複数並べて配置する作業が行なわれる。
【０００３】
従来の支持台連結ユニット４は、図９に示すような、水平面において互いに直交する二方向に３行３列に並んで配置された９つの支持台１２と、これらの支持台１２の下端部間を連結して支持台間の間隔を一定に保持する支持台連結帯２２（以下、「連結帯２２」という。）を備えて構成されている（特許文献１の図１５参照）。
【特許文献１】特許第２７７８５３８号公報
【０００４】
本願の図１０に示すように、支持台１２のそれぞれは、高さ中央部のパイプ部材１６と、このパイプ部材１６の上端外周部に嵌合して設けられるキャップ１８と、及びパイプ部材１６の下端部を支持する受け台２０とを備えて構成されている。
【０００５】
支持台１２の各受け台２０には凹状の嵌合部２４が形成されており、各嵌合部２４にはパイプ部材１６の下端外周部が嵌合している。また、連結帯２２は、図９に示すように、水平面における前記二方向に互いに隣合う受け台２０同士を連結するように工場等において予め形成される。
【０００６】
また、図９に示すように、受け台２０同士の水平面において互いに直交する二方向におけるピッチ間隔が、図７，８に示すパネル部材８の上記二方向におけるピッチ間隔と同じ長さになるように、連結帯２２の長さは設定されている。
したがって、支持台１２のピッチ間隔も、図８に示すように、パネル部材８のピッチ間隔と同じ長さに保持されるようになっている。
【０００７】
図１１は、図９，１０における支持台１２のキャップ１８を示す平面図である。同図に示すように、キャップ１８は、その上端面１８ａ上に開口するよう形成されて、後述するパネル部材８の折曲った側板部３０と係合可能な４本の溝部２６を有している。
【０００８】
このキャップ１８の４本の溝部２６は、これら４本の中の２本が、上端面１８ａ上の一方向に伸びるよう互いに平行に一定間隔で並んで配置され、この２本と直角に交差する他方向に、他の２本が互いに平行に一定間隔で並んで配置されている。これら４本の溝部２６は、互いに平行に並んで配置される２本の組合せ同士が、互いの長さ方向の中央部において交差している。
【０００９】
また、図１２は、図７，８におけるパネル部材８を示す平面図である。パネル部材８は、同図に示すように、略正方形の平面形状を有する天板部２８と、この天板部２８の四辺のそれぞれに、下地床面６側（図１２中、紙面に垂直方向の奥側）に一定高さを有するよう折曲げて形成される側板部３０とを有している。
【００１０】
このようなパネル部材８を、図９に示す、水平面において３行３列に並んで配置された９つの支持台１２の上に、４枚水平面において２行２列に並べて載置することにより、図８に示すような各パネルユニット３１を組立てることができる。
【００１１】
このようなパネルユニット３１の各パネル部材８は、図１２に示す天板部２８の各隅部が、図９に示す９つの支持台１２のうちの対応する各支持台１２のキャップ１８上に載置されると共に、図１２に示す各側板部３０の両端部のそれぞれが、対応するキャップ１８の図１１に示す上端面１８ａの面積の各４分の１内の、互いに直交する各２本の溝部２６に嵌合するようになっている。
【００１２】
図８に示すように、パネルユニット３１同士の、互いに隣り合い、互いに対向して配置される支持台１２同士の中心部間が、パネル部材８のピッチ間隔とほぼ同じ長さだけ互いに離れた状態で、パネルユニット３１が下地床面６上に複数配置されている。
【００１３】
そして、図８に示すように、組立て後のパネルユニット３１における、パネル部材８の外形よりも外側にはみ出した、その上にパネル部材８が配置されていないキャップ１８の上端面１８ａの領域には、互いに隣り合うパネルユニット３１同士のそれぞれの上端面１８ａの略中心部同士の間に渡すように、別体の同じパネル部材８が後からその上端面１８ａの上記領域の上に載置される。
【００１４】
このことにより、図８中のパネル部材８が配置されていない領域にもパネル部材８が配置されて、図７に示すように、パネル部材８が配置されていない上端面１８ａの領域が無いフリーアクセスフロア２が完成するようになっている。このようなフリーアクセスフロア２のパネル部材８の下方の、下地床面６上に、図７，１３に示すように、電線等の各種のケーブル３２を横たわらせて通すことができるようになっている。
【発明の開示】
【発明が解決しようとする課題】
【００１５】
しかしながら、従来の支持台連結ユニット４においては、上述したように、図８における、各パネルユニット３１の各３箇所の角部に配置される８つの支持台１２のそれぞれは、支持台１２の外形の一部が４枚のパネル部材８の外形よりも外側にはみ出している。
【００１６】
したがって、図示しないが、壁３の壁際に配置されるパネルユニット３１は、パネル部材８の外形よりも壁３側にはみ出す支持台１２の外形の一部が壁３に接触するため、そのパネル部材８の外形が直接壁に接触するように配置することができないので、支持台１２の外形がパネル部材８の外形からはみ出した分、パネル部材８の外形が壁３から離れてしまう。このため、壁３の壁際には支持台１２のキャップ１８の上端面１８ａ等の一部が上方に露出して、壁３とフリーアクセスフロア２のパネル部材８により構成される床面の側辺との間に、一定の幅の隙間ができてしまう。
【００１７】
このため、図７に示す、壁３の壁際に配置される各パネルユニット３１の支持台連結ユニット４Ａにおいては、図９に示すように、連結帯２２Ａをその長さ途中位置の仮想線Ｘ，Ｘ´の２ヶ所で切断することにより短くすると共に、このことにより支持台連結ユニット４を、３つの支持台１２を有する図中仮想線Ｘより左側のグループと、６つの支持台１２を有する図中仮想線Ｘ´より右側のグループとに分割するようにしていた。
【００１８】
これにより、切断した連結帯２２Ａの断面同士を突き合せて、３つの支持台１２を有するグループと、６つの支持台１２を有するグループとの間の、互いの支持台１２間の間隔を狭くするよう調整することができる。このため、図７に示すように、壁３側の３つの支持台１２がパネル部材８の外形よりも内側に引っ込んだ位置でパネル部材８を支持するように、壁３側の３つの支持台１２の位置を、６つの支持台１２を有するグループに近づけて、支持台１２間の間隔を短く調整することができる。
【００１９】
このため、壁３側のパネル部材８の外形が壁３に隙間無く接触することができるので、フリーアクセスフロア２の床面の側辺が壁３に接触して、壁３とフリーアクセスフロア２の床面の側辺との間に隙間ができること無く、壁際にフリーアクセスフロア２の床面が形成されるようにしていた。
【００２０】
ところが、図９に示すように、連結帯２２Ａをその長さ途中位置の仮想線Ｘ，Ｘ´の２ヶ所で切断して短くすることにより、壁３の壁際の支持台１２と、この支持台１２よりも壁３から遠い側の隣りの支持台１２との間隔を短く調整することができるとしても、連結帯２２の切断作業を行うためには、カッター等の特別の工具が必要となるという問題があった。
【００２１】
そこで本発明は、上記問題点に鑑みて、支持台同士を連結する連結帯を、特別の工具を用いなくても人の手で容易に分断できるようにして、支持台同士の間隔を容易に調整することができるようにした支持台連結ユニットを提供することを課題とするものである。
【課題を解決するための手段】
【００２２】
上記課題を解決するために本発明は、
フリーアクセスフロアに用いられるパネル部材を支持する複数の支持台と、当該支持台の下端部間を連結して支持台間の間隔を保持する連結帯とを備えた支持台連結ユニットであって、
前記連結帯は、当該連結帯をこの長さ方向における所定の位置で分断するための分断用切込み部を有することを特徴とするものである。
【００２３】
また上記本発明は、１本の前記連結帯の長さ方向における複数の位置に前記分断用切込み部を有することを特徴とするものである。
【発明の効果】
【００２４】
このような本発明の支持台連結ユニットによれば、
フリーアクセスフロアに用いられるパネル部材を支持する複数の支持台と、当該支持台の下端部間を連結して支持台間の間隔を保持する連結帯とを備えた支持台連結ユニットであって、
前記連結帯は、当該連結帯をこの長さ方向における所定の位置で分断するための分断用切込み部を有することにより、
支持台連結ユニットの支持台同士を連結する連結帯を、特別の工具を用いなくても人の手で容易に分断できるので、支持台同士の間隔を容易に調整することができる。
【００２５】
また、上記本発明は、１本の前記連結帯の長さ方向における複数の位置に前記分断用切込み部を有することにより、
支持台連結ユニットの支持台同士を連結する連結帯を、特別の工具を用いなくても人の手で複数の分断用切込み部を容易に分断できると共に、支持台同士の間隔を任意の長さに調整することができる。
【発明を実施するための最良の形態】
【００２６】
以下、本発明に係る支持台連結ユニットを実施するための最良の形態について、図面に基づいて具体的に説明する。
図１から図５は、本発明の一実施の形態に係る支持台連結ユニット４０について説明するために参照する図である。従来と同様の部分には同じ符号を用いて説明し、従来と同様の構成についての重複する説明はできるだけ省略するものとする。
【００２７】
図１は、本実施の形態に係る支持台連結ユニット４０を示す平面図である。図１に示すように、支持台連結ユニット４０は、水平面において互いに直交する二方向に３行３列に並んで配置された９つの支持台１２を有すると共に、図９に示す従来の支持台連結ユニット４の支持台連結帯２２の代わりに、支持台連結帯４２（以下、「連結帯４２」という。）を有している。
【００２８】
支持台連結ユニット４０の各連結帯４２は、その両端部それぞれの支持台１２寄りの位置に、図２から図４に示すような、連結帯４２の厚さ方向に貫通する長孔状の、分断用切込み部としての分断用貫通孔５２（以下、貫通孔５２と呼ぶ。）が形成されている。
【００２９】
図２は、連結帯４２に形成された貫通孔５２の拡大平面図、図３は図２に示す貫通孔５２のＡ−Ａ線矢視図、図４は図２に示す貫通孔５２のＢ−Ｂ線矢視図である。
【００３０】
このような本実施の形態においては、図２，４に示すように、連結帯４２の側辺面と貫通孔５２の内周面との間に、肉厚が薄い薄肉厚部５４が形成されていて、この薄肉厚部５４は人の手で容易に破断することが可能な強度を有している。
【００３１】
このような本実施の形態においては、前述した、図７に示す従来のフリーアクセスフロア２における壁３に最も近い支持台連結ユニット４Ａの、図９に示す従来の連結帯２２Ａを２箇所で工具を用いて切断するのとは異なる手段により、支持台１２間の間隔を短くするようになっている。
【００３２】
すなわち、本実施の形態においては、従来のように連結帯２２Ａを２箇所で工具を用いて切断するのに対して、本実施の形態における連結帯４２の両端部の２箇所の貫通孔５２の薄肉厚部５４を人の手で破断する点において異なっている。
【００３３】
そして、図５に示すように、連結帯４２の破断部間の長さ部分を除去して、３つの支持台１２を有するグループを６つの支持台１２を有するグループに（矢印方向に）近づけることにより、それぞれのグループの互いに対応する３つの支持台１２同士間の間隔を短く調整することができる。
【００３４】
このため、本実施の形態に係る支持台連結ユニット４０によれば、支持台１２同士を連結する連結帯４２を、特別の工具を用いなくても人の手で容易に分断できるので、支持台１２同士の間隔を容易に調整することができる。
【００３５】
また、１本の連結帯４２の長さ方向において２箇所に分断用切込み部の貫通孔５２を設けたことにより、２箇所の分断用切込み部は任意の位置に設定することができるので、支持台１２同士の間隔を任意の長さに調整することができる。
【００３６】
なお、上記実施の形態においては１本の連結帯４２の長さ方向において２箇所に分断用切込み部の貫通孔５２を設けた場合について説明したが、分断用切込み部は、１本の連結帯４２の長さ方向において１箇所又は３箇所以上の位置に設けてもよい。
【００３７】
すなわち、１本の連結帯４２の長さ方向において１箇所にだけ分断用切込み部を設けた場合においては、連結帯４２の分断された側の端部同士を重ねることにより支持台１２間の間隔を短くすることができる。また、３箇所以上に分断用切込み部を設けた場合においては、２種類以上の長さのうち、所望の長さで連結帯４２の長さ方向の一部を除去することにより、支持台１２間の間隔を所望の長さに調整することができる。
【００３８】
また、上記実施の形態においては、図２に示すように、分断用切込み部として長孔状の貫通孔５２を形成した場合について説明したが、このような貫通孔５２の代わりに、単なる円形状の貫通孔を連結帯４２の幅方向に沿って並べて形成したものであってもよい。
【００３９】
または、分断用切込み部として、連結帯４２の幅方向に沿って、図６に示すような、断面がＶ字状の溝５６を形成したものであってもよい。
或は、分断用切込み部として、連結帯４２の幅方向に沿って、容易に切り離せるような、縫い目状（破線状）の溝とかスリットを形成したものであってもよい。
【図面の簡単な説明】
【００４０】
【図１】本発明の一実施の形態に係る支持台連結ユニット４０を示す平面図である。
【図２】図１に示す支持台連結ユニット４０の貫通孔５２の拡大平面図である。
【図３】図２に示す貫通孔５２のＡ−Ａ線矢視図である。
【図４】図２に示す貫通孔５２のＢ−Ｂ線矢視図である。
【図５】図１に示す支持台連結ユニット４０の連結帯４２を２つの貫通孔５２で分断して連結帯４２の長さ中央部を除去した状態を示す平面図である。
【図６】貫通孔５２と異なる分断用切込み部としてＶ字状の溝５６を連結帯４２の幅方向に形成した他の実施例を示す溝５６の断面図である。
【図７】従来のフリーアクセスフロア２を示す図であって、このフリーアクセスフロア２を敷設した部屋内の領域を示す平面図である。
【図８】図７に示す従来のフリーアクセスフロア２の敷設作業の途中で下地床面６の上に間隔をおいて並べた複数のパネルユニット３１を示す平面図である。
【図９】図８中の支持台連結ユニット４だけを取り出して示すその平面図である。
【図１０】図９における支持台連結ユニット４のＢ−Ｂ線矢視断面図である。
【図１１】図９中のキャップ１８だけを取り出して示すその平面図である。
【図１２】図８中のパネル部材８だけを取り出して示すその平面図である。
【図１３】図７中の従来のフリーアクセスフロア２のパネル部材８の下方の下地床面６上を通るケーブル３２を示すＡ−Ａ線矢視断面図である。
【符号の説明】
【００４１】
２  フリーアクセスフロア
３  壁
４  支持台連結ユニット
６  下地床面
８  パネル部材
１２  支持台
１６  パイプ部材
１８  キャップ
１８ａ  上端面
２０  受け台
２２  支持台連結帯
２４  凹部
２６  溝部
２８  天板部
３０  側板部
３１  パネルユニット
３２  ケーブル
４０  支持台連結ユニット
４２  支持台連結帯
５２  分断用貫通孔
５４  薄肉厚部
５６  溝部
【図１】
2009035965.tif 000003
【図２】
2009035965.tif 000004
【図３】
2009035965.tif 000005
【図４】
2009035965.tif 000006
【図５】
2009035965.tif 000007
【図６】
2009035965.tif 000008
【図７】
2009035965.tif 000009
【図８】
2009035965.tif 000010
【図９】
2009035965.tif 000011
【図１０】
2009035965.tif 000012
【図１１】
2009035965.tif 000013
【図１２】
2009035965.tif 000014
【図１３】
2009035965.tif 000015